(57)【要約】  快適性に優れ、スポーツ等の激しい運動時の胸の揺れ軽減効果、すなわち防振性に優れるブラジャーを提供する。着用者の左右の乳房を覆う前面部（１１）、前面部の上部に連なる左右一対の肩ストラップ部（１２）、前面部の左右に配設された一対のウィング部（１３）を有するブラジャー（１０）であって、前面部は、着用者側に配設される一対の内カップ部（１１ａ）と、内カップ部の外側に配設される表カップ部（１１ｂ）とを備え、前面部は、所定の幅を有する補強部（１７）を有し、前面部未補強部の伸長応力（Ｓ１）に対する、前面部補強部の伸長応力（Ｓ２）の比（Ｓ２／Ｓ１）が、１．２／１〜７００／１である。
2018168875.tif 000002
【特許請求の範囲】
【請求項１】
着用者の左右の乳房を覆う前面部、該前面部の上部に連なる左右一対の肩ストラップ部、前記前面部の左右に配設された一対のウィング部を有するブラジャーであって、  前記前面部は、前記着用者側に配設される一対の内カップ部と、該内カップ部の外側に配設される表カップ部を備え、  前記前面部は、所定の幅を有する補強部を有し、前面部未補強部の伸長応力（Ｓ１）に対する、前記前面部補強部の伸長応力（Ｓ２）の比（Ｓ２／Ｓ１）が、１．２／１〜７００／１であることを特徴とする、ブラジャー。
【請求項２】
前記前面部の補強部が前記表カップに存在し、表カップ部未補強部の伸長応力（Ｓ３）に対する、前記表カップ部の補強部の伸長応力（Ｓ４）の比（Ｓ４／Ｓ３）が、２／１〜７００／１である、請求項１に記載のブラジャー。
【請求項３】
前記前面部の補強部が前記内カップに存在し、内カップ部未補強部の伸長応力（Ｓ５）に対する、前記内カップ部の補強部の伸長応力（Ｓ６）の比（Ｓ６／Ｓ５）が、１．２／１〜５００／１である、請求項１または２に記載のブラジャー。
【請求項４】
前記補強部は、前記表カップ部または前記内カップ部において、少なくとも該表カップ部または該内カップ部の上辺の中点と、該表カップ部または該内カップ部の下辺の中点とを結ぶ線分の中点よりも上部に位置し、前記補強部は、該表カップ部または該内カップ部上部の少なくとも１０％以上の面積をしめる、請求項１〜３のいずれか１項に記載のブラジャー。
【請求項５】
前記左右の肩ストラップ部と前記前面部の接続位置から、該前面部と左右の前記ウィング部との接続位置の上点とを結ぶ曲線をそれぞれＫ、Ｋ’とし、前記表カップ部と前記内カップ部の接合部が、該曲線Ｋ、Ｋ’上の該左右の肩ストラップ部と前記前面部の接続位置から、該前面部と前記左右のウィング部との接続位置の上点に向かって、少なくとも０〜５０％の位置に存在する、請求項１〜４のいずれか１項に記載のブラジャー。
【請求項６】
前記内カップ部の外側にカップ支持部を備え、前記内カップ未補強部の伸長応力（Ｓ５）に対する、前記カップ支持部の伸長応力（Ｓ７）の比（Ｓ７／Ｓ５）が、１／１〜５００／１である、請求項１〜５のいずれか１項に記載のブラジャー。
【請求項７】
前記肩ストラップ部および前記ウィング部を着用者の背中側で接続する背面部を有する、請求項１〜６のいずれか１項に記載のブラジャー。
【請求項８】
前記前面部の一部から前記ウィング部の一部に亘る背面方向の領域において前記ウィング部に重ねて配設されたサブウィング部を有し、  前記ウィング部の伸長応力（Ｓ８）に対する、前記サブウィング部の伸長応力（Ｓ９）の比（Ｓ９／Ｓ８）が、０．７／１〜１０／１である、請求項１〜７のいずれか１項に記載のブラジャー。
【請求項９】
前記サブウィング部が、前記ウィング部の外側に配設されている、請求項８に記載のブラジャー。
【請求項１０】
前記サブウィング部は、前記前面部の上辺の中点と、前記肩ストラップ部および該ウィング部の着用者の背中側における接続部位の上辺の中点とを結ぶ線分Ｌが最長となるようにブラジャーを配置し、かつ該線分と同一方向の法線を有する平面Ｓを規定した場合に、該線分Ｌ上の該前面部の上辺の中点から前記接続部位の上辺の中点に向かって０〜４０％の位置の平面上、及び／または、７０〜１００％の位置の該平面上に、前記サブウィング部と、前記前面部、前記ウィング部、前記背面部、ホック部、またはアンダーテープ部との接合部が存在し、かつ、前記サブウィング部は、前記ウィング部と接合されていない領域を有する、請求項８または９に記載のブラジャー。
【請求項１１】
前記サブウィング部は、前記前面部の上辺の中点と、前記接続部位の上辺の中点とを結ぶ線分Ｌが最長となるようにブラジャーを配置し、かつ該線分と同一方向の法線を有する平面Ｓを規定した場合に、該線分Ｌ上の該前面部の上辺の中点から前記接続部位の上辺の中点に向かって０〜４０％の位置の平面上、及び７０〜１００％の位置の該平面上に、前記サブウィング部と、前記前面部、前記ウィング部、または前記背面部との接合部が存在し、かつ、前記サブウィング部は、前記ウィング部と接合されていない領域を有する、請求項１０に記載のブラジャー。
【請求項１２】
前記サブウィング部の伸長応力（Ｓ９）に対する、前記背面部の伸長応力（Ｓ１３）の比（Ｓ１３／Ｓ９）が、０．７／１以上である、請求項１１に記載のブラジャー。
【請求項１３】
前記肩ストラップ部は、筒状の第１ストラップ部と、該第１ストラップ部の内側に配されたテーパー状の第２ストラップ部とを有し、  前記第１ストラップ部の一端部は前記表カップ部と接続され、前記第２ストラップ部の一端部は前記内カップ部と直接または間接的に接続され、  前記第１ストラップ部の他端部は前記第２ストラップ部の他端部もしくは一部分と接続されている、請求項１〜１２のいずれか１項に記載のブラジャー。
【請求項１４】
前記第１ストラップ部の伸長応力（Ｓ１０）に対する、前記第２ストラップ部の伸長応力（Ｓ１１）の比（Ｓ１１／Ｓ１０）が、１．２／１〜３０／１である、請求項１３に記載のブラジャー。
【請求項１５】
スポーツブラジャーである、請求項１〜１４のいずれか１項に記載のブラジャー。
【発明の詳細な説明】
【技術分野】
【０００１】  本発明は、着用動作時の胸の揺れを抑えるブラジャーに関する。より詳細には、本発明は、快適性を損なわずに着用動作時の胸の揺れ抑制効果、すなわち防振性を備えたブラジャーに関する。
【背景技術】
【０００２】  ランニングやジャンプ等の動作時、ブラジャーを着用していても、胸が大きく揺れる場合が多い。特にスポーツ等の激しい動作の場合には、その揺れは非常に大きくなり、不快であるばかりか胸の下垂の原因にもなる。この揺れを軽減する方法として、特許文献１には、カップ部の一部からウィング部の一部に亘る領域において本体上にサブウィング部を配置、またはカップ上下縁に高応力部を配置、さらには特定の断面積の肩紐部を配置することにより胸の揺れを軽減させたブラジャーが記載されている。【０００３】  また、胸の揺れを軽減させるブラジャーとして、スポーツブラが多数開発されている。例えば特許文献２には、フロント布部の内側に、乳房の外周縁を上部から両横に掛けて囲んだ乳房外周縁布部を備えたスポーツ用ブラジャーが記載されている。また、特許文献３には、着用者の乳房を受け入れるカップ部の周縁部に沿って、前記揺れの主方向と主方向に直交する方向とで、弾性係数の異なる部分を設けることで、運動時の胸の揺れを制御することが可能なスポーツ用ブラジャーが提案されている。また、特許文献４には、胸の揺れを軽減させるために、カップ部のバストトップ位置よりも上方で且つブラジャー周長の１／２以上の長さに亘る領域において、ブラジャーに積層するように補強部を設けている。また、特許文献５には、乳房を支持するために、ストラップに付け外し可能な圧縮パネル（補強部）をカップを覆うように形成しており、圧縮パネルを取り付ける位置を変更することで胸を支持するための圧力を変えることができるスポーツ用ブラジャーが提案されている。
【先行技術文献】
【特許文献】
【０００４】
【特許文献１】特開２０１４−１６３０１８号公報
【特許文献２】特開２０１１−１７９１４４号公報
【特許文献３】特開２００６−１０４６１３号公報
【特許文献４】特開２０１６−１８６１４２号公報
【特許文献５】米国特許第８５２３６２９号公報
【発明の概要】
【発明が解決しようとする課題】
【０００５】  しかしながら、特許文献１に記載されるようなサブウィング部の配置やカップ上下縁の高応力部、及び肩紐部の断面積の規定だけではスポーツ等の激しい運動時の胸の揺れを軽減する効果は不十分である。  特許文献２及び３では、胸の揺れを軽減させる為に、胸の外周縁や、カップ下部、上部等に伸縮性の低い素材を使用しており、その部位の着圧が高くなりがちで、着用快適性は低下する。特許文献２及び３に記載される補強部分だけでは、快適性と胸の揺れを軽減する効果の両立は不十分である。特許文献４では、ブラジャー周長の１／２以上の長さに亘る領域に補強部を配置しているが、このような補強部では、着用時に特に脇部や背中側の着圧が高くなりがちで、着用快適性は低下する。特許文献５では、ストラップに付け外し可能な圧縮パネル（補強部）をカップを覆うように形成しているが、ストラップからブラジャーの脇部にかけて圧縮パネルとカップが分離しているため、着用時にカップ脇部が身体から浮いてしまいがちで、スポーツ等の激しい運動時の胸の揺れを軽減する効果は不十分であり、運動時の胸の揺れ軽減効果が高く、なおかつ日常的に長時間着用しても不快にならず、快適性を満足するブラジャーは現状では見出されていない。【０００６】  このように、日常的に長時間着用するブラジャーとしては、着用時の着圧を下げ、着用快適性が高く、なおかつ軽い動作からスポーツ等といった激しい運動時においても、胸の揺れを軽減することができるブラジャーの開発が望まれている。【０００７】  本発明は、上述したような従来の実情に鑑みてなされたものであり、本発明の課題は、着用時の着圧を下げ、快適性に優れ、日常的な軽い動作やスポーツ等の激しい運動時といったあらゆるシーンにおいて胸の揺れ軽減効果、すなわち防振性に優れるブラジャーを提供することにある。
【課題を解決するための手段】
【０００８】  上記課題を解決するために、本発明者が鋭意研究を行った結果、左右の乳房を覆う前面部を、内カップ部と表カップ部とし、表カップ部及び／または内カップ部に所定の幅を有する補強部を設けることで、着用時に胸を着用者側へ広範囲から包み込むことができ、上記の目的を達成できることを見出した。ここで、左右の乳房を覆う前面部において、内カップ部とは、左右の乳房を覆うように左右の乳房に直接接触する前面部であり、表カップ部とは、内カップ部を覆うように内カップ部よりも外側に配設される前面部である。  すなわち、本発明は以下のとおりである。  ［１］  着用者の左右の乳房を覆う前面部、該前面部の上部に連なる左右一対の肩ストラップ部、前記前面部の左右に配設された一対のウィング部を有するブラジャーであって、  前記前面部は、前記着用者側に配設される一対の内カップ部と、該内カップ部の外側に配設される表カップ部を備え、  前記前面部は、所定の幅を有する補強部を有し、前面部未補強部の伸長応力（Ｓ１）に対する、前記前面部補強部の伸長応力（Ｓ２）の比（Ｓ２／Ｓ１）が、１．２／１〜７００／１であることを特徴とする、ブラジャー。  ［２］  前記前面部の補強部が前記表カップに存在し、表カップ部未補強部の伸長応力（Ｓ３）に対する、前記表カップ部の補強部の伸長応力（Ｓ４）の比（Ｓ４／Ｓ３）が、２／１〜７００／１である、［１］に記載のブラジャー。  ［３］  前記前面部の補強部が前記内カップに存在し、内カップ部未補強部の伸長応力（Ｓ５）に対する、前記内カップ部の補強部の伸長応力（Ｓ６）の比（Ｓ６／Ｓ５）が、１．２／１〜５００／１である、［１］または［２］に記載のブラジャー。  ［４］  前記補強部は、前記表カップ部または前記内カップ部において、少なくとも該表カップ部または該内カップ部の上辺の中点と、該表カップ部または該内カップ部の下辺の中点とを結ぶ線分の中点よりも上部に位置し、前記補強部は、該表カップ部または該内カップ部上部の少なくとも１０％以上の面積をしめる、［１］〜［３］のいずれかに記載のブラジャー。  ［５］  前記左右の肩ストラップ部と前記前面部の接続位置から、該前面部と左右の前記ウィング部との接続位置の上点とを結ぶ曲線をそれぞれＫ、Ｋ’とし、前記表カップ部と前記内カップ部の接合部が、該曲線Ｋ、Ｋ’上の該左右の肩ストラップ部と前記前面部の接続位置から、該前面部と前記左右のウィング部との接続位置の上点に向かって、少なくとも０〜５０％の位置に存在する、［１］〜［４］のいずれかに記載のブラジャー。  ［６］  前記内カップ部の外側にカップ支持部を備え、前記内カップ未補強部の伸長応力（Ｓ５）に対する、前記カップ支持部の伸長応力（Ｓ７）の比（Ｓ７／Ｓ５）が、１／１〜５００／１である、［１］〜［５］のいずれかに記載のブラジャー。  ［７］  前記肩ストラップ部および前記ウィング部を着用者の背中側で接続する背面部を有する、［１］〜［６］のいずれかに記載のブラジャー。  ［８］  前記前面部の一部から前記ウィング部の一部に亘る背面方向の領域において前記ウィング部に重ねて配設されたサブウィング部を有し、  前記ウィング部の伸長応力（Ｓ８）に対する、前記サブウィング部の伸長応力（Ｓ９）の比（Ｓ９／Ｓ８）が、０．７／１〜１０／１である、［１］〜［７］のいずれかに記載のブラジャー。  ［９］  前記サブウィング部が、前記ウィング部の外側に配設されている、［８］に記載のブラジャー。  ［１０］  前記サブウィング部は、前記前面部の上辺の中点と、前記肩ストラップ部および該ウィング部の着用者の背中側における接続部位の上辺の中点とを結ぶ線分Ｌが最長となるようにブラジャーを配置し、かつ該線分と同一方向の法線を有する平面Ｓを規定した場合に、該線分Ｌ上の該前面部の上辺の中点から前記接続部位の上辺の中点に向かって０〜４０％の位置の平面上、及び／または、７０〜１００％の位置の該平面上に、前記サブウィング部と、前記前面部、前記ウィング部、前記背面部、ホック部、またはアンダーテープ部との接合部が存在し、かつ、前記サブウィング部は、前記ウィング部と接合されていない領域を有する、［８］または［９］に記載のブラジャー。  ［１１］  前記サブウィング部は、前記前面部の上辺の中点と、前記接続部位の上辺の中点とを結ぶ線分Ｌが最長となるようにブラジャーを配置し、かつ該線分と同一方向の法線を有する平面Ｓを規定した場合に、該線分Ｌ上の該前面部の上辺の中点から前記接続部位の上辺の中点に向かって０〜４０％の位置の平面上、及び７０〜１００％の位置の該平面上に、前記サブウィング部と、前記前面部、前記ウィング部、または前記背面部との接合部が存在し、かつ、前記サブウィング部は、前記ウィング部と接合されていない領域を有する、［１０］に記載のブラジャー。  ［１２］  前記サブウィング部の伸長応力（Ｓ９）に対する、前記背面部の伸長応力（Ｓ１３）の比（Ｓ１３／Ｓ９）が、０．７／１以上である、［１１］に記載のブラジャー。  ［１３］  前記肩ストラップ部は、筒状の第１ストラップ部と、該第１ストラップ部の内側に配されたテーパー状の第２ストラップ部とを有し、  前記第１ストラップ部の一端部は前記表カップ部と接続され、前記第２ストラップ部の一端部は前記内カップ部と直接または間接的に接続され、  前記第１ストラップ部の他端部は前記第２ストラップ部の他端部もしくは一部分と接続されている、［１］〜［１２］のいずれかに記載のブラジャー。  ［１４］  前記第１ストラップ部の伸長応力（Ｓ１０）に対する、前記第２ストラップ部の伸長応力（Ｓ１１）の比（Ｓ１１／Ｓ１０）が、１．２／１〜３０／１である、［１３］に記載のブラジャー。［１５］  スポーツブラジャーである、［１］〜［１４］のいずれかに記載のブラジャー。
【発明の効果】
【０００９】  本発明によれば、乳房を覆う前面部を、内カップ部と表カップ部とし、表カップ部、及び／または内カップ部の特定の部位に所定の幅を有する補強部を設けることにより、日常的な軽い動作やスポーツ等の激しい運動時といったあらゆるシーンにおいて胸の上下動（Ｙ方向）及び左右動（Ｘ方向）さらには前後動（Ｚ方向）を抑えることができ、さらに締め付け圧（着圧）が適切で快適なスポーツブラジャーを提供できる。
【図面の簡単な説明】
【００１０】
【図１】本発明のスポーツブラジャーの前面側の構造の一例を示す斜視図である。
【図２】本発明のスポーツブラジャーの背面側の構造の一例を示す斜視図である。
【図３】図１および図２に示すスポーツブラジャーにおいて、内カップ部の構造の一例を示す斜視図である。
【図４】図１および図２に示すスポーツブラジャーにおいて、表カップ部の構造の一例を示す斜視図である。
【図５】図１および図２に示すスポーツブラジャーにおいて、第１の接続部の部分を抜き出して示す図である。
【図６】図１および図２に示すスポーツブラジャーにおいて、第２の接続部の部分を抜き出して示す図である。
【図７】図１および図２に示すスポーツブラジャーにおいて、表カップ部の部分を抜き出して示す図である。
【図８】本発明のスポーツブラジャーの内カップ部にカップ支持部を配置した場合の構造の一例を示す斜視図である。
【図９】本発明のスポーツブラジャーにおいて、サブウィング部を有し、肩ストラップ部が、筒状の第１ストラップ部と、該第１ストラップ部の内側に配されたテーパー状の第２ストラップ部とを有し、肩ストラップにアジャスターを配置した場合の構造の一例を示す斜視図である。
【図１０】本発明のスポーツブラジャーの表カップ部の上辺の中点（Ｏ１）と、背面部１５の上辺の中点（Ｏ３）とを結ぶ線分Ｌが最長となるようにブラジャー１０を配置した場合の構造の一例を示す斜視図である。
【図１１】本発明のスポーツブラジャーにおいて、表カップ部の部分を抜き出して示す図であり、表カップ部の補強部の構造の一例を示す図である。
【図１２】本発明のスポーツブラジャーにおいて、表カップ部の部分を抜き出して示す図であり、表カップ部の補強部の構造の一例を示す図である。
【図１３】本発明のスポーツブラジャーにおいて、サブウィング部を有し、肩ストラップ部が、筒状の第１ストラップ部と、該第１ストラップ部の内側に配されたテーパー状の第２ストラップ部とを有した、前面側の構造の一例を示す斜視図である。
【図１４】本発明のスポーツブラジャーにおいて、サブウィング部を有し、肩ストラップ部が、筒状の第１ストラップ部と、該第１ストラップ部の内側に配されたテーパー状の第２ストラップ部とを有した、背面側の構造の一例を示す斜視図である。
【図１５】本発明のスポーツブラジャーにおいて、内カップ部の部分を抜き出して示す図であり、内カップ部の補強部の構造の一例を示す図である。
【図１６】本発明のスポーツブラジャーにおいて、内カップ部の部分を抜き出して示す図であり、内カップ部の補強部の構造の一例を示す図である。
【図１７】本発明のスポーツブラジャーにおいて、表カップ部の部分を抜き出して示す図であり、表カップ部の補強部の構造の一例を示す図である。
【図１８】本発明のスポーツブラジャーにおいて、内カップ部の部分を抜き出して示す図であり、内カップ部にカップ支持部を配置した構造の一例を示す図である。
【図１９】本発明の一般的なブラジャーの前面側の構造の一例を示す斜視図である。
【図２０】本発明の一般的なブラジャーの背面側の構造の一例を示す斜視図である。
【図２１】図１９および図２０に示すブラジャーにおいて、内カップ部の構造の一例を示す斜視図である。
【図２２】図１９および図２０に示すブラジャーにおいて、表カップ部の構造の一例を示す斜視図である。
【発明を実施するための形態】
【００１１】  以下、本発明の実施の形態について、図面を参照しながら説明する。  図１〜図１８は、本発明のスポーツブラジャーの一構成例を示す図で、図１９〜図２２は本発明のスポーツ用以外の一般的なブラジャーの一構成例を示す図である。  本発明のスポーツブラジャー（ブラジャー）は、着用者の左右の乳房を覆う前面部、前面部の上部に連なる左右一対の肩ストラップ部、前面部の左右に配設された一対のウィング部を有する。そして本発明のスポーツブラジャーは、前面部は、着用者側に配設される一対の内カップ部と、内カップ部の外側に配設される表カップ部とを備え、表カップ部及び／又は内カップ部に所定の幅を有する補強部を設けることを特徴とする。また、本発明の実施の形態において、肩ストラップ部およびウィング部を着用者の背中側で接続する背面部を有していてもよい。スポーツブラジャーはスポーツなどの運動時において、運動時のバストの揺れを軽減し、動きやすくする為に用いられることが多く、一般的なブラジャーは乳房の形を美しく整える為に用いられることが多いので、スポーツブラジャーは一般的なブラジャーに比べて、比較的身体を覆う面積が広い傾向にあり、前面部やウィング部の面積や、肩ストラップの幅が広く、背面部を有する構造となることが多い。
【００１２】  本開示で、「着用者側」とは、ブラジャーの裏側（すなわちカップが凹形状となる側）を意図し、「外側」とは上記着用者側と反対側を意図する。  本開示で、ブラジャーに関して言及する「ヨコ方向」とは、２つのカップの配列方向であり、具体的には、２つのカップのバストトップ位置が互いに最も離れるようにブラジャーを置いたときの、２つのバストトップ位置を結ぶ直線の方向を意図する。本開示で、ブラジャーの「タテ方向」とは、上記ヨコ方向と垂直の方向であり、着用者の身体の上下方向に対応することが意図される。  本開示で、「バストトップ位置」とは、ブラジャー着用時に着用者のバストトップに対応する位置（すなわち着用者の乳首に対応する位置）を意図する。バストトップ位置は、カップの膨らみ形状（凸形状）の頂部である。本開示で、ブラジャーの「前中心線」及び「背中心線」とは、それぞれ、２つのバストトップ位置を結ぶ線分の中点を通ってブラジャーのタテ方向に延びる線であって、前中心線は前面部上、背中心線は、背面部を有しない場合はウィング部上、及び／または、左右ウィング部を着用者の背中側で接続するホック部上、背面部を有する場合は背面部上の線である。  また、本開示で「所定の幅を有する補強部」とは、補強部が、線状や縫い代としてではなく、所定面積を有する部材（生地）により面状に設けられていることを意味する。
【００１３】  また本開示で、特記がない場合、「伸長応力」とは、ＪＩＳ  Ｌ１０９６．８．１４．１  Ａ法のカットストリップ法に準拠してブラジャーから切り出した布帛サンプルのタテ方向１０％伸長時応力（Ｎ／２．５ｃｍ幅、以下単にＮと記す）及びヨコ方向１０％伸長時応力（Ｎ）を測定し、これらを平均した値をいう（以下、タテヨコ平均伸長応力、又は単に伸長応力ともいう）。なお本開示で、布帛の「タテ方向」は、任意に設定した方向であり、「ヨコ方向」とは、これと垂直の方向である。複数の生地を重ねて構成する場合、伸長応力は各生地の伸長応力を足し合わせた値、もしくは複数の生地を重ねた状態で測定した値とする。また、肩ストラップ部のような一方向に長い部材の場合は、その方向をタテ方向とし、タテ方向１０％伸長時応力をその部材の伸長応力とする。  また、ブラジャーは基本的には左右で略対称の構造を有する。例えば添付図面において着用者に対し右側に相当する肩ストラップ部１２と、左側に相当する肩ストラップ部１２´は、ほぼ同様の構成を有する。そのため、以下の説明では肩ストラップ部１２についてのみ説明し、肩ストラップ部１２´については省略する場合がある。それ以外のカップ部、サブウィング部１４等の構成要素およびＰ１，Ｑ１等の符号についても同様である。
【００１４】  図１は、本発明のスポーツブラジャーの前面側の構造の一例を示す斜視図であり、図２は、スポーツブラジャーの背面側の構造の一例を示す斜視図である。  図１、図２及び図１９、図２０に示すように、本実施の形態に係るスポーツブラジャー（ブラジャー）１０は、左右の乳房を覆う前面部１１と、前面部１１の上部に連なる左右の肩ストラップ部１２、前記前面部１１の左右に連なる一対のウィング部１３を有する。また、図１、図２に示す例では、前記肩ストラップ部１２およびウィング部１３を着用者の背中側で接続する背面部１５を有する。ウィング部１３は、前面部１１の脇縁部から着用者の背側に向かって延びる。これらの各部材は、縫着などにより接続される。
【００１５】  本発明の実施の形態において、前面部１１は、着用者側に配設され着用者の左右の乳房をそれぞれ受け入れる一対の内カップ部１１ａと、内カップ部１１ａの外側に配設される表カップ部１１ｂとを備えた２重構造を有する。
【００１６】  図３は、図１および図２に示すスポーツブラジャーにおいて、内カップ部の構造の一例を示す斜視図であり、図４は、表カップ部の構造の一例を示す斜視図である。図５は、第１の接続部の部分を抜き出して示す図であり、図６は、第２の接続部の部分を抜き出して示す図である。また、図７は、表カップ部の部分を抜き出して示す図である。  図２１は、図１９および図２０に示す一般的なブラジャーにおいて、内カップ部の構造の一例を示す斜視図であり、図２２は、表カップ部の構造の一例を示す斜視図である。  本実施形態において、内カップ部１１ａは、図中、Ｑ４〜Ｑ３〜Ｑ５〜Ｑ４で囲まれる部位であり、表カップ部１１ｂは、図中、Ｐ２〜Ｐ１〜Ｐ３〜Ｐ４〜Ｐ５〜Ｐ６〜Ｐ６´〜Ｐ５´〜Ｐ４´〜Ｐ３´〜Ｐ１´〜Ｐ２´〜Ｐ２で囲まれる部位である。  図に示す例では、内カップ部１１ａと表カップ部１１ｂとは、脇縁（図中、辺Ｑ１〜Ｐ４および辺Ｐ４〜Ｐ５）及び下辺縁（Ｐ５〜Ｐ６〜Ｐ６´〜Ｐ５´）において、内カップ部１１ａ及び表カップ部１１ｂとは別個の布帛からなる接続部１６（第１の接続部１６ａ、第２の接続部１６ｂ）を介して接続されている。
【００１７】  第１の接続部１６ａは、Ｑ１〜Ｑ４〜Ｑ３〜Ｑ２〜Ｐ５〜Ｐ４〜Ｑ１で囲まれる部位であり（図５参照）、第２の接続部１６ｂは、Ｑ５〜Ｑ３〜Ｑ２〜Ｑ２´〜Ｑ３´〜Ｑ５´〜Ｑ５で囲まれる部位である（図６参照）。  第１の接続部１６ａは、辺Ｑ４〜Ｑ３で内カップ部１１ａと接続され、辺Ｐ４〜Ｐ５でウィング部１３と接続されている。
【００１８】  第２の接続部１６ｂは、辺Ｑ５〜Ｑ３において内カップ部１１ａと接続され、辺Ｑ２〜Ｑ２´においてアンダーテープ部２１と接続されている。なお表カップ部１１ｂは、辺Ｐ５〜Ｐ６〜Ｐ６´〜Ｐ５´においてアンダーテープ部２１と接続されている。  カップの脇縁において、第１の接続部１６ａを介して内カップ部１１ａと表カップ部１１ｂの側部が接続されている。また、カップの下辺縁において、第２の接続部１６ｂを介して内カップ部１１ａの下辺（辺Ｑ３〜Ｑ５，Ｑ５´〜Ｑ３´）と表カップ部１１ｂの下辺（辺Ｐ５〜Ｐ６〜Ｐ６´〜Ｐ５´）が接続されている。
【００１９】  図１〜図１４に示す例では、内カップ部１１ａの上辺（辺Ｑ４〜Ｑ５）は、表カップ部１１ｂと接続されず分離しているが、この構造に限定されず、内カップ部１１ａと表カップ部１１ｂとが分離していなくてもよい。肩ストラップ部１２を内側と外側の２重構造とする場合においては、内カップ部１１ａの上辺（辺Ｑ４〜Ｑ５）が表カップ部１１ｂと分離している構造が好ましい。
【００２０】  内カップ部１１ａが表カップ部１１ｂと分離していない構造の例として、図１５、図１６に示す例では、Ｐ２〜Ｐ１〜Ｑ１〜Ｑ４〜Ｑ５〜Ｑ５´〜Ｑ４´〜Ｑ１´〜Ｐ１´〜Ｐ２´〜Ｐ２で囲まれる部位に内カップ部１１ａの補強部１７を設けており、辺Ｑ１〜Ｐ１〜Ｐ２〜Ｐ２´〜Ｐ１´〜Ｑ１´において、内カップ部１１ａの補強部１７と表カップ部１１ｂが接続されており、辺Ｑ１〜Ｐ４および辺Ｐ４〜Ｐ５において、第１の接続部１６ａと表カップ部１１ｂが接続され、辺Ｐ５〜Ｑ２〜Ｑ２´〜Ｐ５´において、第２の接続部１６ｂと表カップ部１１ｂ及びアンダーテープ部２１が接続されている為、内カップ部１１ａは内カップ部１１ａの補強部１７、第１の接続部１６ａ、第２の接続部１６ｂを介して表カップ部１１ｂと接続され分離していない。なお、図１５及び図１６では、補強部１７の部分に斜線を付している。  なお、表カップ部１１ｂは、内カップ部１１ａの前中心側を互いに連結するとともに、内カップ部１１ａの上辺部分よりも上側部分、好ましくは２つの乳房の間の谷間部分をさらに覆うように形成されるのが好ましい。
【００２１】  前面部１１を内カップ部１１ａと表カップ部１１ｂとからなる二重構造とすることで、内カップ部１１ａで着用者の乳房を収容保持し、表カップ部１１ｂで乳房を広範囲に押さえ込み、これにより内カップ部１１ａ、接続部１６及び着用者の乳房の揺れを低減させることができる。その結果、スポーツ等の激しい運動時においても乳房の揺れを低減することができる。
【００２２】  内カップ部１１ａは、例えば、ポリエステル素材によって形成され、ダブルラッセル生地であってもよい。内カップ部１１ａの形状は、左右の乳房を立体的に被覆する釣鐘形状を有し、例えばダブルラッセル生地を縫製により釣鐘形状としてもよい。
【００２３】  表カップ部１１ｂ、及び／または、内カップ部１１ａの一部に補強部１７を設けることで、乳房が揺れる際に押え込む力を効果的に発揮でき、日常的な軽い動作やスポーツ等の激しい運動時といったあらゆるシーンにおいて乳房の揺れをさらに低減させることができる。ここで、前記補強部１７は、前面部未補強部の伸長応力（Ｓ１）に対する、前記補強部の伸長応力（Ｓ２）の比（Ｓ２／Ｓ１）が、１．２／１〜７００／１である必要がある。前記補強部１７を表カップ部１１ｂに設ける場合は、前記表カップ部１１ｂの未補強部の伸長応力（Ｓ３）に対する、前記補強部の伸長応力（Ｓ４）の比（Ｓ４／Ｓ３）が、２／１〜７００／１であることが好ましく、より好ましくは、１０／１〜５００／１であり、さらに好ましくは１０／１〜３００／１であり、最も好ましくは１０／１〜２００／１である。前記補強部１７を内カップ部１１ａに設ける場合は、内カップ部未補強部の伸長応力（Ｓ５）に対する、前記補強部の伸長応力（Ｓ６）の比（Ｓ６／Ｓ５）が、１．２／１〜５００／１である事が好ましく、より好ましくは３／１〜３００／１であり、さらに好ましくは３／１〜２００／１であり、最も好ましくは３／１〜１００／１である。  ここで、本明細書において、所定の幅を有する補強部１７は、内カップ部１１ａおよび／または表カップ部１１ｂにおいて、縫製部や他の部材との接続部を除いた部分で最も伸長応力が高い部分を含む、該最も伸長応力の高い部分と同一構成（素材、織編構造、積層状態）の部分であり、「未補強部」とは、内カップ部１１ａおよび／または表カップ部１１ｂにおいて、補強部１７が設けられた部分以外の、縫製部や他の部材との接続部を除いた部分をいう。未補強部の伸長応力は、前記未補強部において、最も伸長応力が低い所定の幅を有する部分の値とする。未補強部は複数の生地を重ねて構成されていてもよく、複数の生地を重ねて構成される場合は、重なった生地を一体として未補強部とする。
【００２４】  また、補強部１７は、少なくとも、表カップ部１１ｂ及び／または内カップ部１１ａにおいて、表カップ部１１ｂ及び／または内カップ部１１ａの上辺の中点（Ｏ１）と、表カップ部１１ｂ及び／または内カップ部１１ａの下辺の中点（Ｏ２）とを結ぶ線分の中点（Ｏ４）を通る表カップ部及び／または内カップ部下辺と平行な線よりも上部（着用者の身体の上方向側、以下表カップ部１１ｂ及び／または内カップ部１１ａ上部と呼ぶ）に位置し、補強部１７は表カップ部１１ｂ及び／または内カップ部１１ａ上部の面積の好ましくは１０％以上の面積をしめ、より好ましくは４０％以上の面積をしめることで、乳房が揺れる際に抑え込む力を効果的に発揮することができる。ここで、前面部上部の面積は、表カップ部１１ｂもしくは内カップ部１１ａのうち、補強部１７を設ける側の面積とし、表カップ部１１ｂ及び内カップ部１１ａの両方に補強部１７を設ける場合は、表カップ部１１ｂもしくは内カップ部１１ａのどちらか一方に設けられた補強部１７が、表カップ部１１ｂもしくは内カップ部１１ａ上部の面積の１０％以上の面積をしめていればよい。また、表カップ部１１ｂに補強部１７を設ける場合は、内カップ部１１ａの形状に沿わせて形成させる為、表カップ部脇部には補強部１７はなるべく配置しない方が好ましい。ここで、表カップ部脇部とは、Ｐ３〜Ｐ４〜Ｐ５〜Ｐ６〜Ｐ３で囲まれる部位である（図７参照）。
【００２５】  表カップ部１１ｂに補強部１７を設けた例として例えば、図１１に示す例では、Ｐ２〜Ｐ１〜Ｐ３〜Ｐ１２〜Ｏ４〜Ｐ１２´〜Ｐ３´〜Ｐ１´〜Ｐ２´〜Ｐ２で囲まれる部位において、補強部１７を設けている。また、図１２に示す例では、Ｐ２〜Ｐ１〜Ｐ１３〜Ｐ１３´〜Ｐ１´〜Ｐ２´〜Ｐ２で囲まれる部位において、補強部１７を設けている。なお、図１１及び図１２では、補強部１７の部分に斜線を付している。
【００２６】  内カップ部１１ａに補強部１７を設けた例として、例えば、図１５、図１６に示す例では、Ｐ２〜Ｐ１〜Ｑ１〜Ｑ４〜Ｑ５〜Ｑ５´〜Ｑ４´〜Ｑ１´〜Ｐ１´〜Ｐ２´〜Ｐ２で囲まれる部位において、補強部１７を設けており、図１５と図１６は補強部の面積が異なる。ここで、内カップ部１１ａの補強部１７は内カップ部１１ａの一部とするが、内カップ部１１ａとは別個の部材でもよい。
【００２７】  表カップ部１１ｂ、及び／または、内カップ部１１ａにこのような補強部１７を設けることにより、左右の乳房を支持し、乳房の揺れを抑制するとともに乳房の形状を保つことができる。  補強部１７は例えば複数の生地を重ねて構成することもできる。
【００２８】  また、前記補強部１７は、図１７の例に示すように、前面部１１の上辺の中点（Ｏ１）と、前面部１１と左右のウィング部１３との接続位置の上点Ｐ４、Ｐ４´とを結ぶ線分をそれぞれＪ、Ｊ’としたとき、該線分Ｊ、Ｊ’上の該前面部１１の上辺の中点（Ｏ１）から該前面部１１と左右のウィング部１３との接続位置の上点（Ｐ４、Ｐ４´）に向かって５〜８０％の位置に存在することが好ましく、また、任意の方向において少なくとも５ｃｍの長さを有することが好ましく、７ｃｍ以上の長さを有することが更に好ましい。これにより、補強部１７を乳房の揺れ抑制、乳房の形状保持に最適な位置に配置することができる。
【００２９】  また、内カップ部１１ａの上辺（辺Ｑ４〜Ｑ５）が表カップ部１１ｂと分離している構造においては、図１７の例に示すように、前記左右の肩ストラップ部１２と前面部１１の脇側接続位置Ｐ１、Ｐ１´から、前面部１１と左右のウィング部１３との接続位置の上点Ｐ４、Ｐ４´とを結ぶ曲線をそれぞれＫ、Ｋ’としたとき、表カップ部１１ｂと内カップ部の第１の接続部１６ａを介した接合部Ｑ１、Ｑ１´が、該線分Ｋ、Ｋ’上の該左右の肩ストラップ部１２と前面部１１の脇側接続位置Ｐ１、Ｐ１´から、該前面部１１と左右のウィング部１３との接続位置の上点Ｐ４、Ｐ４´に向かって、少なくとも０〜５０％の位置に存在することが好ましく、０〜２０％の位置に存在することがより好ましい。これにより、表カップ部１１ｂと内カップ部１１ａの第１の接続部１６ａを介した接合部Ｑ１、Ｑ１´において補強部１７を左右に引っ張り、それにより補強部１７を着用者側へ押さえつけることでブラの身体へのフィット性が高まり、さらに乳房の揺れを抑制することができる。例に示したように、表カップ部１１ｂと内カップ部１１ａの接合部は、接続部１６といった別の部材を介してもいいが、その接続部材の伸長応力は、内カップ部１１ａよりも高いことが好ましく、内カップ部未補強部の伸長応力（Ｓ５）に対する、接続部材の伸長応力（Ｓ１４）の比（Ｓ１４／Ｓ５）が、１／１〜５００／１、さらに好ましくは、２／１〜２００／１であるとよい。
【００３０】  表カップ部１１ｂと内カップ部１１ａとの接続部１６（第１の接続部１６ａ、第２の接続部１６ｂ）は、例えば、ポリエステル素材によって形成され、織物生地であってもよい。接続部１６の伸長応力は、内カップ部１１ａおよびウィング部１３よりも高いことが好ましい。
【００３１】  図８に示すように、内カップ部１１ａの外側、すなわち内カップ部１１ａより体の反対側に、カップ支持部１８を設けることができる。図８に示す例では、内カップ部１１ａの外側下部にあって、Ｑ６〜Ｑ３〜Ｑ７〜Ｑ６、及びＱ６´〜Ｑ３´〜Ｑ７´〜Ｑ６´で囲まれる部位に、別個の布帛からなるカップ支持部１８を設けている。また、図１８に示す例では、左右の内カップ部１１ａ、１１ａ´の間の外側にあって、Ｑ６〜Ｑ７〜Ｑ７´〜Ｑ６´〜Ｑ６で囲まれる部位に、別個の布帛からなるカップ支持部１８を設けており、辺Ｑ６〜Ｑ６´で内カップ部１１ａの補強部１７と接続し、辺Ｑ７〜Ｑ７´はアンダーテープ部２１及び第２の接続部１６ｂ、及び表カップ部１１ｂと接続しているが、辺Ｑ６〜Ｑ７及び、辺Ｑ６´〜Ｑ７´は内カップ部１１ａや第２の接続部１６ｂとは接続されておらず分離している。辺Ｑ６〜Ｑ７及び、辺Ｑ６´〜Ｑ７´を接続しないことで、着用時、カップ支持部１８が立体的な内カップ部１１ａに沿うように形成され、左右の内カップ部１１ａ、１１ａ´の間のすき間（２つの乳房の間の谷間部分）を埋めることができ、ブラの身体へのフィット性がさらに高まる。ここで、図１８に示す例では、辺Ｑ６〜Ｑ６´で内カップ部の補強部１７と接続しているがこれに限らず、辺Ｑ６〜Ｑ６´は補強部１７と分離していてもよく、補強部１７や内カップ部１１ａ,１１ａ´、肩ストラップ部１２や接続部１６、表カップ部１１ｂと一部分が接続されていればよいが、補強部１７といった伸び難い部材に接続することが好ましい。カップ支持部１８を設けることにより、着用者のバストにかかる着圧が高くなりすぎることなく、内カップ部１１ａの形状を保持することができ、さらに防振性が高くなる。内カップ部未補強部の伸長応力（Ｓ５）に対する、カップ支持部１８の伸長応力（Ｓ７）の比（Ｓ７／Ｓ５）は、１／１〜５００／１、好ましくは、５／１〜２００／１であると良い。カップ支持部１８は、例えば複数の生地を重ねて構成することもできる。
【００３２】  ウィング部１３は、図１〜図４に示される例では、Ｐ４〜Ｐ５〜Ｐ８〜Ｐ９〜Ｐ４で囲まれる部位であり、辺Ｐ４〜Ｐ５において第１の接続部１６ａ及び表カップ部１１ｂと接続され、辺Ｐ８〜Ｐ９において背面部１５と接続されている。  図３に示すように、ウィング部１３は、表カップ部１１ｂと内カップ部１１ａとを繋ぐ第１の接続部１６ａから左右に延びて着用者の背側に向かって配設される。  表カップ部１１ｂと内カップ部１１ａ、およびウィング部１３の下辺は、ブラジャー本体の下辺縁部をなし、ブラジャー本体を一周するアンダーテープ部２１に接続されている。
【００３３】  サブウィング部１４は、図１３、図１４および図９に示される例では、Ｐ７〜Ｐ６〜Ｑ８〜Ｑ９〜Ｐ７で囲まれる部位であり、辺Ｐ７〜Ｐ６において表カップ部１１ｂと接続され、辺Ｑ８〜Ｑ９において背面部１５と接続されている。  図１３に示す例では、サブウィング部１４は、前面部１１の脇縁部から着用者の背側に向かって延び、表カップ部１１ｂの一部からウィング部１３の一部もしくは背面部１５の一部に亘る領域において、表カップ部１１ｂ、ウィング部１３、及び背面部１５の外側に配置されている。サブウィング部１４は、典型的には、表カップ部１１ｂの脇縁からウィング部１３に亘って配置された１枚又は複数枚の布帛で構成できる。サブウィング部１４はカップ部１１ａ，１１ｂ及びウィング部１３において本体部（カップ部１１ａ，１１ｂおよびウィング部１３）と一体化されて構成されるのではなく、本体部とは別個の布帛で、該本体部に重ねて形成されている。
【００３４】  本発明の実施の形態の一つとして、ブラジャー１０はサブウィング部１４を有し、好ましくは、サブウィング部１４は、表カップ部１１ｂ及び／または内カップ部１１ａの上辺の中点（Ｏ１）と、肩ストラップ部およびウィング部の着用者の背中側における接続部位（例えば、ウィング部１３、もしくは、左右ウィング部１３を着用者の背中側で接続するホック部２０、もしくは、該肩ストラップ部１２および該ウィング部１３を着用者の背中側で接続する背面部１５）の上辺の中点（Ｏ３）とを結ぶ線分Ｌが最長となるようにブラジャー１０を配置し（図１０参照）、かつ該線分と同一方向の法線を有する平面Ｓを規定した場合に、該線分Ｌ上の該表カップ部１１ｂ及び／または内カップ部１１ａの上辺の中点（Ｏ１）からウィング部１３もしくはホック部２０の背中心、もしくは背面部１５の上辺の中点（Ｏ３）に向かって０〜４０％の位置の平面上、及び７０〜１００％の位置の該平面上に、サブウィング部１４と表カップ部１１ｂ及び／または内カップ部１１ａ、またはウィング部１３、もしくは背面部１５との接合部が存在し、かつ、該サブウィング部１４は、該ウィング部１３と接合されていない領域を有する。  なお、ブラジャーが背面部１５を有しない場合、背面部１５の上辺の中点（Ｏ３）は、肩ストラップ部１２およびウィング部１３の着用者の背中側における接続部位の上辺の中点になる。
【００３５】  好ましくは、ウィング部１３よりもサブウィング部１４の方が伸長応力は高い。サブウィング部１４により、ブラジャー１０の肌へのフィット効果を高め、かつ、着用時にサブウィング部１４のカップ側接合部に引張り力がかかるため、さらなる防振効果を発揮させることができる。  ウィング部１３の伸長応力（Ｓ８）に対する、サブウィング部１４の伸長応力（Ｓ９）の比（Ｓ９／Ｓ８）は０．７／１〜１０／１、好ましくは１／１〜１０／１、より好ましくは１／１〜５／１、更に好ましくは２／１〜５／１であることで、着圧が高くなり過ぎずに防振性を高めることができる。  これにより着用時、表カップ部１１ｂが乳房を広範囲に押さえ込む力が増し、その結果、スポーツ等の激しい運動時においても乳房の揺れを低減することができる。
【００３６】  サブウィング部１４は、スパンデックスが交編された伸びを有する編地が好適に用いられ、綿織物、ポリエステル織編物、ポリアミド素材の織編物等の、ウィング部やカップ部の布帛よりも伸びの小さい布帛によって構成することができる。
【００３７】  図１３、図１４および図９に示す例では、肩ストラップ部１２、ウィング部１３、サブウィング部１４は、着用者の背側においてそれぞれ背面部１５に接続されている。背面部１５は、辺Ｐ１０〜Ｐ１１において肩ストラップ部１２と、辺Ｐ８〜Ｐ９においてウィング部１３と、辺Ｑ８〜Ｑ９においてサブウィング部１４と、それぞれ縫着などにより接続される。  背面部１５を有する場合、前記サブウィング部１４の伸長応力（Ｓ９）に対する、前記背面部１５の伸長応力（Ｓ１３）の比（Ｓ１３／Ｓ９）は、０．７／１以上で構成されることが好ましい。これにより、サブウィング部１４の効果（表カップ部１１ｂとサブウィング部１４とが、内カップ部１１ａおよびウィング部１３を肌側へ広範囲で押さえつける効果）を十分に発揮させることができる。  また図１４に示すように、ブラジャー１０は、着用者の背側において、例えばサイズ調整のためのホック部２０を有していてもよい。ホック部２０は、背面部１５と連結していなくてもよく、例えば図１４に示す例では、ホック部２０は、ウィング部１３およびアンダーテープ部２１の背側端部に連続して一体に形成されている。
【００３８】  肩ストラップ部１２は、前面部１１から上方に延びて着用者の左右各々の肩に掛け渡された後、着用者の背面側でウィング部１３や背面部１５に接続される。本実施の形態において、肩ストラップ部１２は二重構造を有していることが好ましい。具体的には、図１３に示すように、肩ストラップ部１２は、筒状の第１ストラップ部１２ａと、第１ストラップ部１２ａの内側に配されたテーパー状の第２ストラップ部１２ｂとを有する。第１ストラップ部１２ａの一端部は表カップ部１１ｂと接続されている（図１３参照）。図１３に示す例では、第１ストラップ部１２ａの一端部は、辺Ｐ１〜Ｐ２において、表カップ部１１ｂと接続されている。第２ストラップ部１２ｂの一端部は、内カップ部１１ａ又は第１の接続部１６ａと接続されている（図１３参照）。図１３に示す例では、第２ストラップ部１２ｂの一端部は、辺Ｑ１〜Ｑ４において、第１の接続部１６ａと接続されている。第１ストラップ部１２ａの他端部と第２のストラップ部の他端部とは、好ましくは肩ストラップ部１２が肩に当接する位置よりも後方、図１４に示す例では辺Ｐ１０〜Ｐ１１で、例えば縫合により接続され、直接的または後述するアジャスター１９を介して間接的に背面部１５に接続されている。
【００３９】  肩ストラップ部１２を内側と外側の２重構造とすることで、運動時等の揺れにより肩ストラップ部１２がずれることを防止することができる。肩ストラップ部１２がずれたり揺れたりしても、動くのは内側の第２ストラップ部１２ｂのみで、外側の第１ストラップ部１２ａは肌と密着しほとんど動かないため、上述したような肩ストラップ部１２のずれ、ひいては乳房の揺れや、肩ストラップ部１２と皮膚とのこすれを低減することができる。  肩ストラップ部の２重構造は、この構造に限られず、例えば、着用者側と外側に分かれた構造であっても構わない。その場合、第１ストラップ部を着用者側、第２ストラップ部を外側に配置するものとする。
【００４０】  第１ストラップ部１２ａよりも、第２ストラップ部１２ｂの方が伸長応力は高い。筒状の第１ストラップ部１２ａの伸長応力（Ｓ１０）に対する、テーパー状の第２ストラップ部１２ｂの伸長応力（Ｓ１１）の比（Ｓ１１／Ｓ１０）は、１．２／１〜３０／１、好ましくは３／１〜３０／１で構成されるのが望ましい。これにより、肩部の着圧が高くなり過ぎずに、乳房の揺れを低減できる。
【００４１】  さらに、肩ストラップ部１２は、第１ストラップ部１２ａと第２ストラップ部１２ｂの接続部よりも後方（着用者背中側）に、例えば図９のような、長さ調整のためのアジャスター１９を有していてもよい。アジャスター１９の一端は、第１ストラップ部１２ａと第２ストラップ部１２ｂとの接続部（Ｐ１２〜Ｐ１３）に接続され、他端は背面部１５の辺Ｐ１０〜Ｐ１１に接続されている。テーパー状の第２ストラップ部１２ｂの伸長応力（Ｓ１１）に対する、アジャスター１９の伸長応力（Ｓ１５）の比（Ｓ１５／Ｓ１１）は、０．５／１〜３０／１であることが好ましい。
【００４２】  本発明のブラジャー１０の各部材の素材は特に限定されず、ポリエステル系繊維、ポリアミド系繊維等の合成繊維、レーヨン、キュプラ、アセテート等のセルロース系繊維、及び綿、麻等の天然繊維が好適に用いられる。各部材を構成する布帛の構造も特に限定されず、編物、織物、不織布等が用いられる。  また、捲縮された繊維を用いてもよい。本発明においては、各部材に適正な伸長特性を有する布帛を配置することが有効である。各部材においては、スパンデックスが交編された伸びを有する編地が好適に用いられる。また、表カップ部１１ｂ及びウィング部１３、背面部１５の生地にはダブル丸編、トリコット編、ラッセル編等を使用でき、トリコットハーフ生地が好適に用いられる。
【００４３】  以上説明してきたような本発明のブラジャーによれば、乳房を覆う前面部を、内カップ部と表カップ部とし、前面部（内カップ部および表カップ部の少なくとも一方）に所定の幅を有する補強部を設けることで、着用時に内カップ部を着用者側へ広範囲から包み込み、スポーツ等の激しい運動時の胸の上下動（Ｙ方向）及び左右動（Ｘ方向）さらには前後動（Ｚ方向）を抑えることができ、さらに締め付け圧（着圧）が適切で快適なものとなる。
【実施例】
【００４４】  以下、実施例により本発明を具体的に説明する。  なお、以下の説明では具体的な数値等を挙げて説明するが、本発明はこれらの例に限定されるものではないことは言うまでもない。  実施例及び比較例で得たブラジャーは、以下の方法で評価した。【００４５】  （１）  各部材の生地の伸長応力  ＪＩＳ  Ｌ１０９６．８．１４．１  Ａ法のカットストリップ法に準拠し、ブラジャーから切り出した生地サンプルの応力を計測した。  １０％伸長時応力特性については、タテ方向伸長１０％時応力とヨコ方向伸長１０％時応力（幅２．５ｃｍあたり）を測定し、これらの平均値を算出した。        試験片の幅：２．５ｃｍ        試験片のつかみ長さ：１０ｃｍ        伸長速度：３０ｃｍ／ｍｉｎ  各部材のブラジャーから切り出した生地サンプルについて上記条件で測定を行ったが、試験片のつかみ長さが取れない場合には適宜長さを変更した。試験片の幅が取れない場合には、適宜幅を変更し、得られた応力値を２．５ｃｍ幅あたりの数値に換算した。  複数の生地を重ねて構成した部材は、複数の生地を重ねた状態で測定した。また、肩ストラップ部１２（１２ａ、１２ｂ）とアジャスター１９及びアンダーテープ部２１の部材は、タテ方向１０％伸長時応力のみを測定し、その部材の伸長応力とした。【００４６】  （２）着用時の揺れ値  身長１６０ｃｍ±８ｃｍで、（トップバスト−アンダーバスト）によるブラジャーサイズが３２Ｃ（イギリスサイズ）である３名の被験者にブラジャーを着用させ、トレッドミルで速度５．５ｋｍ／ｈで、着地時に片足が地面から離れているように、１分間に１６０歩のペースで小走りと、１分間に１４０歩のペースでランニングさせた。小走りとランニングでは、走行の動作が異なり、小走りに比べてランニングの方が身体の動きが大きく、それにより胸の揺れも大きくなる。この際、鎖骨部及びバストトップ部に直径２．０ｃｍの反射球を取り付けておき、反射球を２台の高速度カメラ（１２５コマ／秒）で２０秒間撮影した。  鎖骨部の揺れは、小走り時７〜８ｃｍ、ランニング時１５〜１６ｃｍとした。  着用時の胸の揺れの指標として、（バストトップの揺れ）−（鎖骨の揺れ）  （ｃｍ）の２０秒間での  （極大値の平均）−（極小値の平均）  （ｃｍ）を算出し、ヨコ（Ｘ）、タテ（Ｙ）及び奥行き（Ｚ）の値のうち最も大きい方向の値を着用時の揺れ（ｃｍ）とした。  ３名の結果を平均して算出した。【００４７】  （３）最大着圧  （株）エイエムアイ・テクノ社製の多点接触圧計（ＡＭＩ３０３７−１０）を用いて、ブラジャー着用時に、肩ストラップ部の肩中央部、ウィング脇部、アンダーテープ脇部、カップ部上方、カップ部脇部、及びカップ部下方において、着用者とブラジャーとの間にセンサーを挿入して着圧を測定し、得られた値のうち最大値を最大着圧（Ｐａ）とした。【００４８】  （４）快適性及び審美性  快適性  （２）の着用試験時に以下の基準で評価し、モニターの評価を平均した。        ５：  圧迫感がほとんどなく非常に快適である        ４：  圧迫感が小さく快適である        ３：  やや圧迫感があるが不快ではない        ２：  圧迫感があり不快である        １：  圧迫感が強く非常に不快である  審美性  （２）の着用試験時に以下の基���で評価し、モニターの評価を平均した。        ５：  着用時の胸部の外観が非常に美しい        ４：  着用時の胸部の外観が美しい        ３：  どちらともいえない        ２：  着用時の胸部の外観があまり美しくない        １：  着用時の胸部の外観が美しくない【００４９】＜実施例１＞  以下の方法で、図９に示す形状である、イギリスサイズ３２Ｃのブラジャー（日本サイズのＣ７０に対応）を作製した。  このブラジャーにおいて、トップバスト寸法とアンダーバスト寸法との差は、１０ｃｍであり、表カップ部１１ｂの上辺の中点（Ｏ１）と、背面部１５の上辺の中点（Ｏ３）とを結ぶ線分Ｌが最長になるようにブラジャーを配置したときの線分Ｌの長さ（図１０参照）は３３．０ｃｍであった。【００５０】  表カップ部と内カップ部の接続部は、ポリエステル素材によって形成される、織物生地で、タテヨコ平均伸長応力が１６．３Ｎのものを用いた。  表カップ部の補強部１７の伸長応力は１６．７Ｎ、未補強部の伸長応力は０．１７Ｎのものを用い、表カップ部の未補強部の伸長応力に対する補強部１７の伸長応力の比（Ｓ４／Ｓ３）は９８．２／１となった。なお、Ｓ４／Ｓ３は、前面部未補強部の伸長応力に対する、前記前面部補強部の伸長応力の比（Ｓ２／Ｓ１）に相当する。また、表カップ部の補強部の配置は、図１１と同じ配置とし、表カップ部上部の面積は２９６ｃｍ２、補強部の面積は２３７ｃｍ２となり、表カップ部の補強部は、表カップ部上部の面積の８０％をしめる配置とした。【００５１】  表カップ部１１ｂの上辺の中点（Ｏ１）と、背面部１５の上辺の中点（Ｏ３）とを結ぶ線分Ｌが最長となるようにブラジャーを配置し、かつ該線分と同一方向の法線を有する平面Ｓを規定した場合に、該線分Ｌ上の該表カップ部１１ｂの上辺の中点（Ｏ１）から該背面部１５の上辺の中点（Ｏ３）に向かって９〜３４％の位置（これは表カップ部内にある）及び７８〜９１％の位置（これは背面部及びホック部とウィング部との境界と重なる位置）に接合部が存在するように、サブウィング部１４を形成した。  なお本例のブラジャーにおいては、上記平面Ｓに関し、表カップ部１１ｂの上辺の中点（Ｏ１）から背面部１５の上辺の中点（Ｏ３）に向かって４２〜５７％の位置の該平面上に、前面部１１とウィング部１３との境界がある。  サブウィング部１４の伸長応力は０．３９Ｎ、背面部１５の伸長応力は０．３４Ｎ、ウィング部１３の伸長応力は０．１７Ｎのものを用い、サブウィング部の伸長応力に対する、背面部の伸長応力の比（Ｓ１３／Ｓ９）は、０．８７／１、ウィング部１３の伸長応力に対するサブウィング部１４の伸長応力の比（Ｓ９／Ｓ８）は２．３／１となった。【００５２】  テーパー状の第２ストラップ部１２ｂの伸長応力は３．２Ｎ、筒状の第１ストラップ部１２ａの伸長応力は０．１７Ｎのものを用いた。第１ストラップ部１２ａの伸長応力に対する、第２ストラップ部１２ｂの伸長応力の比（Ｓ１１／Ｓ１０）は１８．８／１となった。  また図９のような伸縮性のゴムで構成されたアジャスター１９を配置し、アジャスター１９の伸長応力は、４．１Ｎのものを使用した。第２ストラップ部１２ｂの伸長応力に対する、アジャスター部１９の伸長応力の比（Ｓ１５／Ｓ��１）は１．３／１となった。【００５３】  内カップ部１１ａの外側に設けられたカップ支持部１８（図８参照）の伸長応力は３２．２Ｎ、内カップの伸長応力は５．４Ｎのものを用い、内カップの伸長応力に対するカップ支持部１８の伸長応力の比（Ｓ７／Ｓ５）は、６．０／１となった。  作製したブラジャーを着用した時の動作時の胸の揺れの防振効果は大きく、また着圧の最大値は小さく、快適性にも優れていた。【００５４】＜実施例２＞  実施例１のサブウィング部１４を設けない他は実施例１と同様のブラジャーを作製し、着用テストを実施した。【００５５】＜実施例３＞  実施例１の肩ストラップ部１２として伸長応力が３．２Ｎの生地を一重で使用した他は実施例１と同様のブラジャーを作製し、着用テストを実施した。【００５６】＜実施例４＞  実施例１のサブウィング部１４を設けず、肩ストラップ部１２として伸長応力が３．２Ｎの生地を一重で使用した他は実施例１と同様のブラジャーを作製し、着用テストを実施した。【００５７】＜実施例５＞  実施例１の背面部の伸長応力が０．１７Ｎの生地を使用し、ウィング部１３の伸長応力は０．３４Ｎのものを用い、肩ストラップ部１２として伸長応力が３．２Ｎの生地を一重で使用し、ウィング部１３の伸長応力に対するサブウィング部１４の伸長応力の比（Ｓ９／Ｓ８）は１．１４／１、サブウィング部の伸長応力に対する背面部の伸長応力の比（Ｓ１３／Ｓ９）が、０．４４／１となった他は実施例１と同様のブラジャーを作製し、着用テストを実施した。【００５８】＜実施例６＞  実施例１のサブウィング部１４の接合部が、表カップ部１１ｂの上辺の中点（Ｏ１）と、背面部１５の上辺の中点（Ｏ３）とを結ぶ線分Ｌが最長となるようにブラジャーを配置し、かつ該線分と同一方向の法線を有する平面Ｓを規定した場合に、該線分Ｌ上の該表カップ部１１ｂの上辺の中点（Ｏ１）から背面部１５の上辺の中点（Ｏ３）に向かって４２〜５０％の位置の該平面上にサブウィング部１４と表カップ部１１ｂの接合部を有し、６０〜６５％の位置の平面上に、サブウィング部１４と背面部１５との接合部を有し、肩ストラップ部１２として伸長応力が３．２Ｎの生地を一重で使用した他は、実施例１と同様のブラジャーを作製し、着用テストを実施した。【００５９】＜実施例７＞  実施例１のサブウィング部１４を設けず、肩ストラップ部１２として伸長応力が３．２Ｎの生地を一重で使用し、内カップ部１１ａの外側にカップ支持部１８を設けない他は実施例１と同様のブラジャーを作製し、着用テストを実施した。【００６０】＜実施例８＞  実施例１のサブウィング部１４を設けず、肩ストラップ部１２として伸長応力が３．２Ｎの生地を一重で使用し、表カップ部の補強部の面積を１１９ｃｍ２として表カップ部の補強部の配置は図１２とし、表カップ部の補強部は、表カップ部上部の面積の４０％をしめる配置とした他は実施例１と同様のブラジャーを作製し、着用テストを実施した。【００６１】＜実施例９＞  実施例１のサブウィング部１４を設けず、肩ストラップ部１２として伸長応力が３．２Ｎの生地を一重で使用し、表カップ部の補強部の面積を８８．８ｃｍ２として表カップ部の補強部の配置は図１２と同様とし、表カップ部の補強部は、表カップ部上部の面積の３０％をしめる配置とした他は実施例１と同様のブラジャーを作製し、着用テストを実施した。【００６２】＜実施例１０＞  実施例１のサブウィング部１４を設けず、肩ストラップ部１２として伸長応力が３．２Ｎの生地を一重で使用し、内カップ部１１ａの外側に設けられたカップ支持部１８の伸長応力を１０．７Ｎのものを用い、内カップの伸長応力に対するカップ支持部１８の伸長応力の比（Ｓ７／Ｓ５）は、２．０／１となった他は実施例１と同様のブラジャーを作製し、着用テストを実施した。【００６３】＜実施例１１＞  実施例１のサブウィング部１４を設けず、肩ストラップ部１２として伸長応力が３．２Ｎの生地を一重で使用し、内カップの伸長応力は０．３４Ｎのものを用い、内カップの伸長応力に対するカップ支持部１８の伸長応力の比（Ｓ７／Ｓ５）は、９４．７／１となった他は実施例１と同様のブラジャーを作製し、着用テストを実施した。【００６４】＜実施例１２＞  実施例１のサブウィング部１４を設けず、肩ストラップ部１２として伸長応力が３．２Ｎの生地を一重で使用し、表カップ部の補強部１７の伸長応力が１．７Ｎのものを用い、未補強部の伸長応力に対する補強部１７の伸長応力の比（Ｓ４／Ｓ３）は１０／１となった他は実施例１と同様のブラジャーを作製し、着用テストを実施した。なお、Ｓ４／Ｓ３は、前面部未補強部の伸長応力に対する、前記前面部補強部の伸長応力の比（Ｓ２／Ｓ１）に相当する。【００６５】＜実施例１３＞  実施例１のサブウィング部１４を設けず、肩ストラップ部１２として伸長応力が３．２Ｎの生地を一重で使用し、表カップ部の補強部１７の伸長応力が８１．２Ｎのものを用い、未補強部の伸長応力に対する補強部１７の伸長応力の比（Ｓ４／Ｓ３）は４７８／１となった他は実施例１と同様のブラジャーを作製し、着用テストを実施した。なお、Ｓ４／Ｓ３は、前面部未補強部の伸長応力に対する、前記前面部補強部の伸長応力の比（Ｓ２／Ｓ１）に相当する。【００６６】＜実施例１４＞  実施例１のテーパー状の第２ストラップ部１２ｂの伸長応力が０．３４Ｎのものを用い、第１ストラップ部１２ａの伸長応力に対する、第２ストラップ部１２ｂの伸長応力の比（Ｓ１１／Ｓ１０）は２．０／１、第２ストラップ部１２ｂの伸長応力に対する、アジャスター部１９の伸長応力の比（Ｓ１５／Ｓ１１）は１２．８／１となった他は実施例１と同様のブラジャーを作製し、着用テストを実施した。【００６７】＜実施例１５＞  実施例１のアジャスター１９の伸長応力を、１．３Ｎのものを使用し、第２ストラップ部１２ｂの伸長応力に対する、アジャスター部１９の伸長応力の比（Ｓ１５／Ｓ１１）が０．４／１となった他は実施例１と同様のブラジャーを作製し、着用テストを実施した。【００６８】＜実施例１６＞  実施例１の表カップ部１１ｂの伸長応力が０．１７Ｎの生地を一様に使用し、表カップ部１１ｂに補強部１７を設けず、内カップ部１１ａに図１５と同様の補強部を設け、内カップ部上部の面積は３１６．０ｃｍ２、補強部の面積は９４．８ｃｍとなり、内カップ部の補強部は、内カップ部上部の面積の３０％をしめる配置とし、内カップ部の補強部１７の伸長応力は１６．７Ｎ、���カップ部の未補強部の伸長応力は５．４Ｎのものを用い、内カップ部の未補強部の伸長応力に対する補強部１７の伸長応力の比（Ｓ６／Ｓ５）は３．１／１となり、肩ストラップ部１２として伸長応力が３．２Ｎの生地を一重で使用した他は実施例１と同様のブラジャーを作製し、着用テストを実施した。なお、Ｓ６／Ｓ５は、前面部未補強部の伸長応力に対する、前記前面部補強部の伸長応力の比（Ｓ２／Ｓ１）に相当する。【００６９】＜実施例１７＞  実施例１６の内カップ部の補強部１７を図１６と同様の補強部とし、補強部の面積は６３．２ｃｍとなり、内カップ部の補強部は、内カップ部上部の面積の２０％をしめる配置とし、内カップ部１１ａの外側に設けられたカップ支持部１８は図１８と同様の配置とし、サブウィング部１４を設けない他は実施例１６と同様のブラジャーを作製し、着用テストを実施した。【００７０】＜実施例１８＞  実施例１６の内カップ部１１ａの外側に設けられたカップ支持部１８を設けない他は実施例１６と同様のブラジャーを作製し、着用テストを実施した。【００７１】＜実施例１９＞  実施例１８の内カップ部の補強部１７の伸長応力は７．７Ｎのものを用い、内カップ部未補強部の伸長応力に対する補強部１７の伸長応力の比（Ｓ６／Ｓ５）は１．４／１となり、サブウィング部１４を設けない他は実施例１８と同様のブラジャーを作製し、着用テストを実施した。【００７２】＜実施例２０＞  実施例１９の内カップ部１１ａの外側にカップ支持部１８を図１８と同様に配置し、カップ支持部１８の伸長応力は７．７Ｎのものを用い、内カップの伸長応力に対するカップ支持部１８の伸長応力の比（Ｓ７／Ｓ５）は、１．４／１となった他は実施例１９と同様のブラジャーを作製し、着用テストを実施した。【００７３】＜実施例２１＞  実施例７の左右の肩ストラップ部と前面部の接続位置から、前面部と左右のウィング部との接続位置の上点とを結ぶ線分をそれぞれＫ、Ｋ’とし、表カップ部と内カップ部の接合部が、該線分Ｋ、Ｋ’上の該左右の肩ストラップ部と前面部の接続位置から、該前面部と左右のウィング部との接続位置の上点に向かって、６０％の位置に存在し、アジャスター部１９を設けない他は実施例７と同様のブラジャーを作製し、着用テストを実施した。【００７４】＜実施例２２＞  実施例７の補強部１７が、前面部の上辺の中点（Ｏ１）と、前面部と左右のウィング部との接続位置の上点Ｐ４、Ｐ４´とを結ぶ線分をそれぞれＪ、Ｊ’とし、該線分Ｊ、Ｊ’上の該前面部の上辺の中点（Ｏ１）から該前面部と左右のウィング部との接続位置の上点（Ｐ４、Ｐ４´）に向かって９０〜１００％の位置に存在し、補強部１７の面積を１８．０ｃｍ２とし、表カップ部の補強部は、表カップ部上部の面積の６％をしめる配置とし、アジャスター部１９を設けない他は実施例７と同様のブラジャーを作製し、着用テストを実施した。【００７５】＜実施例２３＞  実施例１の内カップ部１１ａに図１５と同様の補強部を設け、内カップ部上部の面積は３１６．０ｃｍ２、補強部の面積は９４．８ｃｍとなり、内カップ部の補強部は、内カップ部上部の面積の３０％をしめる配置とし、内カップ部の補強部１７の伸長応力は１６．７Ｎ、内カップ部の未補強部���伸長応力は５．４Ｎのものを用い、内カップ部の未補強部の伸長応力に対する補強部１７の伸長応力の比（Ｓ６／Ｓ５）は３．１／１となり、肩ストラップ部１２として伸長応力が３．２Ｎの生地を一重で使用し、内カップ部１１ａの外側に設けられたカップ支持部１８は図１８と同様の配置とし、サブウィング部１４を設けない他は実施例１と同様のブラジャーを作製し、着用テストを実施した。【００７６】＜実施例２４＞  実施例１９の内カップ部の補強部１７の伸長応力は８１．２Ｎのものを用い、内カップ部未補強部の伸長応力は０．１７Ｎのものを用い、内カップ部未補強部の伸長応力に対する補強部１７の伸長応力の比（Ｓ６／Ｓ５）は４７８／１となり、アジャスター部１９を設けない他は実施例１９と同様のブラジャーを作製し、着用テストを実施した。なお、Ｓ６／Ｓ５は、前面部未補強部の伸長応力に対する、前記前面部補強部の伸長応力の比（Ｓ２／Ｓ１）に相当する。【００７７】＜比較例１＞  実施例１の内カップ部１１ａ、カップ支持部１８、接続部１６、及びサブウィング部１４を取り付けず、肩ストラップ部１２は、第１ストラップ部１２ａの内側に配されたテーパー状の第２ストラップ部１２ｂが、辺Ｐ１〜Ｐ２において、第１ストラップ部１２ａ及び表カップ部１１ｂと接続されている他は、実施例１と同様のブラジャーを作製し、着用テストを実施した。【００７８】＜比較例２＞  実施例１の表カップ部１１ｂの伸長応力が０．１７Ｎの生地を一様に使用し、表カップ部１１ｂに補強部１７を設けず、サブウィング部１４も設けない他は実施例１と同様のブラジャーを作製し、着用テストを実施した。【００７９】＜比較例３＞  実施例１の表カップ部１１ｂの伸長応力が０．１７Ｎの生地を一様に使用し、表カップ部１１ｂに補強部１７を設けず、カップ支持部１８も設けない他は実施例１と同様のブラジャーを作製し、着用テストを実施した。【００８０】＜比較例４＞  特許文献１に記載のブラジャーに相当するブラジャーを用い、着用テストを実施した。  以上のようにして作製した各実施例および比較例のブラジャーについて、作製条件を表１に、着用テスト評価結果を表２にまとめて示す。【００８１】
【表１】
2018168875.tif 000003
【００８２】
【表２】
2018168875.tif 000004
【００８３】  表２から明らかなように、各実施例で作製したブラジャーを着用した時の動作時の胸の揺れの防振効果は大きく、また着圧の最大値は小さく、快適性にも優れていた。乳房を覆う前面部を、内カップ部と表カップ部とし、表カップ部に所定の幅を有する補強部を設けることで、スポーツタイプのブラジャーにおいても、着用時の着圧を上げることなく、動作時の胸の揺れを軽減でき、且つ揺れ感を軽減させつつも、着用感を良好に保つことが可能となることにより快適性に優れたブラジャーを得ることができた。【００８４】  以上、本発明の実施の形態について説明してきたが、本発明はこれに限定されるものではなく、発明の趣旨を逸脱しない範囲で適宜変更可能である。
【産業上の利用可能性】
【００８５】  本発明のブラジャーでは、優れた防振性と快適性とを両立させたものとなり、スポーツブラはもちろん、一般のブラジャーとしても広く利用することができる。
【符号の説明】
【００８６】  １０    スポーツブラジャー  １１    前面部  １１ａ    内カップ部  １１ｂ    表カップ部  １２    肩ストラップ部  １２ａ    第１ストラップ部  １２ｂ    第２ストラップ部  １３    ウィング部  １４    サブウィング部  １５    背面部  １６    接続部  １６ａ    第１接続部  １６ｂ    第２接続部  １７    補強部  １８    カップ支持部  １９    アジャスター  ２０    ホック部  ２１    アンダーテープ部
【図１】
2018168875.tif 000005
【図２】
2018168875.tif 000006
【図３】
2018168875.tif 000007
【図４】
2018168875.tif 000008
【図５】
2018168875.tif 000009
【図６】
2018168875.tif 000010
【図７】
2018168875.tif 000011
【図８】
2018168875.tif 000012
【図９】
2018168875.tif 000013
【図１０】
2018168875.tif 000014
【図１１】
2018168875.tif 000015
【図１２】
2018168875.tif 000016
【図１３】
2018168875.tif 000017
【図１４】
2018168875.tif 000018
【図１５】
2018168875.tif 000019
【図１６】
2018168875.tif 000020
【図１７】
2018168875.tif 000021
【図１８】
2018168875.tif 000022
【図１９】
2018168875.tif 000023
【図２０】
2018168875.tif 000024
【図２１】
2018168875.tif 000025
【図２２】
2018168875.tif 000026
【国際調査報告】
2018168875.tif 000027
2018168875.tif 000028